(57)【要約】【課題】壁面と天井面の面際に設置するレール等を支持するブラケットであって、天井面に容易に固定できるものを提供する。【解決手段】天井面（１）に接する天板部（６）と壁面（２）に接する背板部（７）とを備えた板金製の本体（４）と、その本体と共にレールを挟持する（３）とからなるブラケット（３）において、天板部（６）の下面に、固定ねじ（１４）の頭部が座る座面として、天井面からの距離が壁面側に拡大する傾斜座面（９）に形成し、その傾斜座面（９）に垂直な固定ねじ通し穴（１０）を設けた。【選択図】　　　　図２
2004052821.tif 000002
【特許請求の範囲】
【請求項１】
天井面（１）に接する天板部（６）と壁面（２）に接する背板部（７）とを備えた本体（４）と、その本体と共にレール等を挟持する爪（５）とからなるブラケット（３）において、前記天板部の下面に、前記天井面に対する固定ねじ（１４）の座面として、前記天井面からの距離が壁面（２）側に拡大する傾斜座面（９）を形成し、前記傾斜座面に対して垂直に固定ねじ通し穴（１０）を穿設したことを特徴としてなる壁面と天井面の面際に固定するブラケット。
【請求項２】
背板部（７）の前面に、壁面（２）に対する固定ねじ（２０）の座面として、前記壁面からの距離が天井面（１）側に拡大する傾斜座面（１８）を形成し、前記傾斜座面に対して垂直に固定ねじ通し穴（１９）を穿設したことを特徴としてなる請求項１記載の壁面と天井面の面際に固定するブラケット。
【請求項３】
傾斜座面（８）の傾斜角は５度ないし１５度の範囲であることを特徴としてなる請求項１記載の壁面と天井面の面際に固定するブラケット。
【発明の詳細な説明】
【０００１】
【発明の属する技術分野】
本発明は、壁面と天井面が直交する面際に設置するレールを支持するためのブラケットに関するものである。
【０００２】
【従来の技術】
絵画等で壁面に飾るために使用されるハンガーレール等は、天井面と壁面が交差する面際に設置されるので、そのレールを支持するブラケットも天井面と壁面の面際に固定される。
【０００３】
従来の壁面と天井面の面際に固定するブラケットは、天井面に接する天板部と壁面に接する背板部とからなり、天板部と背板部にそれぞれ固定ねじ通し穴を設けているが、天板部の固定ねじ穴の軸心線が鉛直で壁面とブラケットに近接するため、天井面にブラケットを固定ねじで固定するとき、壁面とブラケットが固定ねじの締め付け操作の邪魔になり、ブラケットを天井面に固定することが著しく困難であった。といって、固定ねじの軸心線が天井面に対して斜めになると、固定ねじの頭部がブラケットの天板部座面に片側が浮いた状態で固定され、固定強度が低下する。そこで、ブラケットは壁面のみに固定することが多かった。しかし、天井面と壁面の面際の壁面側に下地がなく、ブラケットを天井面にねじ止めしなければならない場合も少なくないので、天井面に容易に固定することができるブラケットが要望されていた。
【０００４】
【発明が解決しようとする課題】
本発明は上記要望に応えるためになされたものであり、その課題は、天井面と壁面が交差する面際に設置されるレールを支持するために用いられるブラケットであって、天井面に容易に固定することができるものを提供することにある。
【０００５】
【課題を解決するための手段】
前記課題を解決するため、本発明が採用する手段は、ブラケットの天井面に接する天板部の下面に、天井面からの距離が壁面側に拡大する固定ねじ頭部用傾斜座面を形成し、その傾斜座面に垂直な固定ねじ通し穴を設けたことにある。
【０００６】
この固定ねじ通し穴の軸心線は室内側に延びるにつれて壁面からも、ブラケットからも遠ざかるから、壁面とブラケットが天板部の固定ねじ通し穴に通した固定ねじを天井面にねじ込む操作の邪魔になることはない。したがって、ブラケットは簡単かつ迅速に天板部の固定ねじ通し穴に通した固定ねじを介して天井面に固定することができる。
【０００７】
しかし、傾斜座面の傾斜角が天井面に対して５度未満のときは、固定ねじ通し穴の軸線は下降してもブラケットからあまり離れないから、ブラケットが固定ねじのねじ込み操作の邪魔になる。又、傾斜座面の傾斜角が天井面に対して１５度を越えると、固定ねじを締め付けたときの締着力の鉛直方向成分が小さくなり過ぎる。したがって、傾斜座面の天井面に対する傾斜角は５度ないし１５度の範囲とする。
【０００８】
ブラケットは、始めに、天板部の固定ねじ通し穴に通した固定ねじを介して天井面に固定する。場合によっては、ブラケットの壁面からの浮きを押さえて固定を強固にするため、背板部の固定ねじ通し穴に固定ねじを通してブラケットを壁面に固定する。
【０００９】
ブラケットの壁面への固定を容易にするため、ブラケットの壁面に接する背板部の前面に、壁面からの距離が天井面側に拡大する固定ねじ頭部用傾斜座面を形成し、その傾斜座面に垂直な固定ねじ通し穴を設けることが好ましい。この固定ねじ通し穴の軸心線は室内側に延びるにつれて天井面からも、ブラケットからも遠ざかるから、天井面とブラケットが、背板部の固定ねじ通し穴に通した固定ねじを壁面にねじ込む操作の邪魔になることはない。したがって、ブラケットは簡単かつ迅速に背板部の固定ねじ通し穴に通した固定ねじを介して壁面に固定することができる。この傾斜座面の壁面に対する傾斜角度は、天板部と同様に、５度ないし１５度の範囲とする。
【００１０】
【発明の実施の態様】
本発明を図面に示す実施例に基づいて説明する。
【００１１】
図１は本発明実施例のブラケットの正面図、図２は図１のブラケットを壁面に固定した状態を示す側断面図、図３は壁面に固定した図１のブラケットにハンガーレールを取り付けた状態を示す側面図である。
【００１２】
図面に示すように、ブラケット３は、板金製の本体４と合成樹脂製の爪５とからなり、天井面１と壁面２の交差する面際に固定される。
【００１３】
本体４は、天井面１に接する天板部６と、その天板部６から壁面２に接して垂下するする背板部７と、背板部７の両側から前方に延長しついで中央へ折れる左右の側板部８とからなる。
【００１４】
天板部６の下面中央には、天井面１からの距離が壁面側に拡大する傾斜座面９が形成され、その傾斜座面９に固定ねじ通し穴１０が設けられる。傾斜座面９は天井面１に対して約１０度傾斜する。
【００１５】
図２に示すように、背板部７の中央にも固定ねじ通し穴１１が設けられる。この固定ねじ通し穴１１の軸心線は壁面２に垂直である。
【００１６】
背板部７の下端部は前方にＵ字形に折れて下側フック１２を形成し、側板部８の上縁に上側フック１３をそれぞれ形成する。背板部７と側板部８の間に弓形バネ状の爪５が入る。爪５の左右側端部を左右側板部の支持溝にはめ込むと、爪５は下方に弾圧される。
【００１７】
ブラケット３を天井面１に取り付けるとき、図１に示すように、始め、天板部６を天井面１に背板部７に壁面２を当接させる。ついで、図２に示すように、固定ねじ１４を固定ねじ通し穴１０に入れて天井面１にねじ込む。固定ねじ通し穴１０の軸心線は室内側に下降するに従い壁面２からもブラケット３からも離れるから、固定ねじ１４をねじ込む操作に邪魔な物はない。したがって、ブラケット３の固定ねじ１４による天井面１への固定は、容易かつ迅速に実施することができる。
【００１８】
図３に示すように、天井面１に固定したブラケット３にハンガーレール１５を取り付けると、ハンガーレール１５と天井面１の間隔は、ブラケットを壁面２に固定したときよりも狭くなるので壁面２の見栄えが良くなる。
【００１９】
ブラケット３にハンガーレール１５を取り付けたとき、ブラケット３の上側フック１３にはハンガーレール１５の上後縁部１６が、下側フック１２には下後縁部１７がそれぞれ掛かり、爪５が弾性反発力で下側フック１２に掛かるハンガーレール１４の下後縁部を押し下げて下側フック１２との間に挟持する。
【００２０】
【実施例】
次に、図面に示す別の実施例について説明する。
【００２１】
図４及び図５は、別の実施例のブラケットの正面図及びブラケットを壁面に固定した状態を示す側断面図である。
【００２２】
前記実施例と比べると、この実施例のブラケット３は本体４が上下に少し長く、背板部７の前面上半部が広い。この背板部７の前面上半部には、壁面２からの距離が天井面側に拡大する傾斜座面１８が形成され、その傾斜座面１８に対して垂直に固定ねじ通し穴１９が設けられる。傾斜座面１８は壁面２に対して約１０度傾斜する。
【００２３】
ブラケット３は、始めに、天板部６の固定ねじ通し穴１０に通した固定ねじ１４を介して天井面１に取り付ける。ついで、背板部７の固定ねじ通し穴１９に固定ねじ２０を入れて壁面２にねじ込む。固定ねじ通し穴１９の軸心線は室内側が天井面１からもブラケット３からも離れるから、固定ねじ２０をねじ込む操作に邪魔な物はない。したがって、ブラケット３の固定ねじ２０による壁面２への固定は、容易かつ迅速に実施することができる。
【００２４】
上記以外の構成と効果は前記実施例と同じである。
【００２５】
【発明の効果】
上記のとおり、従来の壁面と天井面の面際に固定するブラケットは、天板部に穿設した固定ねじ通し穴の軸心線が鉛直で壁面とブラケットに近接するため、天井面に固定ねじをねじ込んでブラケットを天井面に固定することは困難であったが、本発明のブラケットは、天井面に接する天板部の下面に、天井面に対する固定ねじ頭部の座面として、天井面からの距離が壁面側に拡大する傾斜座面を形成し、その傾斜座面の角度を天井面に対して５度ないし１５度の範囲としたから、固定ねじをねじ込む操作に必要な空間に邪魔な物がなく、ブラケットは簡単かつ迅速に固定ねじを介して天井面に固定することができるという優れた効果を奏する。
【００２６】
又、ブラケットの背板部に、壁面に対する固定ねじの座面として、壁面からの距離が天井面側に拡大する傾斜座面を形成すると、ブラケットは簡単かつ迅速に固定ねじを介して壁面にも固定することができる。
【図面の簡単な説明】
【図１】は本発明実施例のブラケットを壁面に固定する前の状態を示す正面図、
【図２】は本発明実施例のブラケットを壁面に固定した状態を示す側断面図、
【図３】は本発明実施例のブラケットにハンガーレールを取り付けた状態を示す側面図。
【図４】は別の実施例の図１に相当する図、
【図５】は別の実施例の図２に相当する図。
【符号の説明】
１：天井面
２：壁面
３：ブラケット
４：本体
５：爪
６：天板部
７：背板部
８：側板部
９：傾斜座面
１０、１１：固定ねじ通し穴
１１：カーテンレール
１２：下側フック
１３：上側フック
１４：固定ねじ
１５：ハンガーレール
１６：上後縁部
１７：下後縁部
１８：傾斜座面
１９：固定ねじ通し穴
２０：固定ねじ
【図１】
2004052821.tif 000003
【図２】
2004052821.tif 000004
【図３】
2004052821.tif 000005
【図４】
2004052821.tif 000006
【図５】
2004052821.tif 000007